(57)【特許請求の範囲】
【請求項１】
複数のＩＣを直列に収容する筒状のマガジンの端部に着脱自在に取付けられるストッパにおいて、当該ストッパの周りに弾性の係止フィンを有するとともに、その先端面を、上向きに外側へ傾斜した傾斜面に形成し、その先端押え部がリードに接触しない構造としたことを特徴とするＩＣマガジン用ストッパ。
【請求項２】
ストッパの上下に設けられたフィンの角度を、下部のフィン角度＞上部のフィン角度、に設定することより、ストッパの先端が挿入時に上に向くようにしたことを特徴とする請求項１記載のＩＣマガジン用ストッパ。
【請求項３】
ストッパの上下に設けられたフィンの厚みを、上部フィンの厚み＜下部フィンの厚み、に設定することにより、ストッパの先端が挿入時に上を向くようにしたことを特徴とする請求項１または２記載のＩＣマガジン用ストッパ。
【請求項４】
ストッパの上下に設けられたフィンの各々の根元の支点から先端までの距離の長さを、下部支点からの距離の長さの方を短く設定することにより、ストッパの先端が挿入時に上を向くようにしたことを特徴とする請求項１乃至３のいずれか１項に記載のＩＣマガジン用ストッパ。
【発明の詳細な説明】
【０００１】
【発明の属する技術分野】
この発明は、ＩＣをマガジン内に収納する際に用いるＩＣマガジン用ストッパの改良に関するものである。
【０００２】
【従来の技術】
図６、図７、図８は、この種の従来のＩＣマガジンとストッパの一例を示すための図で、図６は図７に示すＩＣマガジン用ストッパをマガジン内に挿入した状態を示す断面図であり、図７は従来使用されているＩＣマガジン用ストッパを単品で示す自由状態における側面断面図、図８はマガジンとＩＣマガジン用ストッパの分離の斜視図、図９は図６を上からみた上面図である。
これらの図において、１は複数のＩＣを収納するための、ほぼ四角筒状のマガジンであり、底面中央部にＩＣ本体を載置するための凸部台座１ａを有する。２はこのマガジン１内にその開口端部１ｂから挿入して収納されるＩＣで、上記マガジン１の凸部台座１ａ上に載った状態で収納される。３はＩＣ２の両側に突出して設けられたリードである。１４はマガジン１内に複数個のＩＣ２を挿入してのち、内部のＩＣが抜けて落ちないように保持する弾性材でなるストッパであり、このストッパ１４には、上下に係止用フィン１４ａが設けられている。なお１４ｂはその外端部に突設された把手である。
【０００３】
上記のようなマガジンとストッパを用いてのＩＣの収納方法としては、図６において、筒状のＩＣマガジン１の開口端部１ｂから複数のＩＣ２を順次挿入し、所定のＩＣを入れてのち、最後にストッパ１４を挿入し、その先端部１４ｃで最後尾のＩＣの後端を押圧するとともにフィン１４ａを弾性的にたわませることで筒内で係止させ、ＩＣをマガジン内に収納保持するものである。
【０００４】
【発明が解決しようとする課題】
しかしながら、上記のような従来のＩＣマガジン用ストッパの構造では、図６中の最後尾に挿入したＩＣにおいて、マガジン内の上下のガタによっては、ストッパ１４の中央先端部１４ｃがＩＣ２の図９のように回り込んで当接して、これを内側へ曲げてしまうという要因になっており、またこのような欠点があったため、作業性も極めて悪いという問題点があった。
【０００５】
この発明は上記のような問題点を解決するためになされたもので、マガジン内に収納されるＩＣのリードの変形が起こらないようにしたＩＣマガジン用ストッパを提供せんとするものである。
【０００６】
【課題を解決するための手段】
この発明の請求項１に係るＩＣマガジン用ストッパは、複数のＩＣを直列に収容する筒状のマガジンの端部に着脱自在に取付けられるストッパにおいて、当該ストッパの周りに弾性の係止フィンを有するとともに、その先端面を、上向きに外側へ傾斜した傾斜面に形成し、その先端押え部がリードに接触しない構造とした。
【０００７】
この発明の請求項２に係るＩＣマガジン用ストッパは、ストッパの上下フィンの角度をθ1＜θ2に設定することより、ストッパの先端が挿入時に上に向くようにした。
【０００８】
この発明の請求項３に係るＩＣマガジン用ストッパは、ストッパの上下フィンの厚みを、上部フィンの厚み＜下部フィンの厚み、に設定することにより、ストッパの先端が挿入時に上を向くようにした。
【０００９】
この発明の請求項４に係るＩＣマガジン用ストッパは、ストッパの上下フィンの根元支点から、先端までの距離の長さを、Ａ＞Ｂに設定することにより、ストッパの先端が挿入時に上を向くようにした。
【００１０】
【発明の実施の形態】
実施の形態１．
以下、この発明の実施の形態を図に基づいて説明する。
図１、図２は、本発明の実施の形態１を示すもので、図１はＩＣマガジン内にＩＣを収納し、ストッパで係止した状態を示す断面図、図２は図１で使用したストッパの自由状態における側面断面図である。
これらの図において、１は複数のＩＣを収納するための、ほぼ四角筒状のマガジンであり、底面中央部にＩＣ本体を載置するための凸部台座１ａを有する。２はこのマガジン１内にその開口端部１ｂから挿入して収納されるＩＣで、上記マガジン１の凸部台座１ａ上に載った状態で収納される。３はＩＣ２の両側に突出して設けられたリードである。４はマガジン１内に複数個のＩＣ２を挿入してのち、内部のＩＣが抜けて落ちないように保持する弾性材でなるストッパであり、このストッパ４には、上下に係止用フィン４ａが設けられている。なお４ｂはその外端部に突設された把手である。
そして、このストッパ４の図７で示した従来構造と異なるところは、その先端部の形状にある。即ち、その先端面４ｄが、上向きに外側へ傾斜した傾斜面に形成されており、図１に示すように、ＩＣ２に対する押え部５がＩＣ２の上部で接触するように形成されている。従って、ストッパ４は、ＩＣマガジン１への挿入時にＩＣ２のリード３へ接触することが避けられるので、リード曲がりの要因をなくすことができ、作業性の向上を図ることができるものとなる。
【００１１】
実施の形態２．
図３はこの発明の実施の形態２によるストッパを示すもので、上下に各々２片の係止フィン４ｅ，４ｆ及び４ｇ，４ｈが設けられている。そしてこの図３のストッパ４のフィンにおいて、下部のフィン角度θ2＞上部のフィン角度θ1となるように設定することにより、ストッパ４は、ＩＣマガジン１への挿入時に、下部のフィン４ｇ，４ｈよりも上部のフィン４ｅ，４ｆの方が比較的折れ曲がり易くなるので、ストッパ４はおのずから上の方向に向くようになり、それだけＩＣのリード３に接触する率は少なくなって、さらにリード曲がりの要因をなくすることになる。
【００１２】
実施の形態３．
図４は実施の形態３によるストッパの形状を示すもので、フィン４ｅ，４ｆの厚みｔ1＜フィン４ｈの厚みｔ2＜フィン４ｇの厚みｔ3、と設定することにより、力の関係がフィン４ｇ＞フィン４ｈ＞フィン４ｅ，４ｆとなり、ストッパ４は挿入時に上の方向に向き、さらにＩＣ２のリード３と接触しないようになって、リード曲がりを防止できるものとなる。
【００１３】
実施の形態４．
図５は実施の形態４によるストッパの形状を示すもので、ストッパ４の先端から、フィン４ｅの後端までの距離Ｌ1と、フィン４ｇの後端までの距離Ｌ2の関係を、Ｌ1＞Ｌ2とし、フィン４ｇの根元の支点Ｃ1の位置をフィン４ｅの根元の支点Ｃ2の位置よりストッパの先端に近づけ、即ちＡ＞Ｂとすることで、ストッパ４は挿入時に上の方向を向き、さらにリード３に接触しないものとすることができる。
【００１４】
【発明の効果】
この発明の請求項１に係るＩＣマガジン用ストッパによれば、複数のＩＣを直列に収容する筒状のマガジンの端部に着脱自在に取付けられるストッパにおいて、当該ストッパの周りに弾性の係止フィンを有するとともに、その先端面を、上向きに外側へ傾斜した傾斜面に形成したので、ストッパの先端押え部がリードに接触することがなく、従ってリードの曲がりを起こすことはない。
【００１５】
この発明の請求項２に係るＩＣマガジン用ストッパによれば、ストッパの上下フィンの角度を、上部フィンの角度θ1＜下部フィンの角度θ2に設定することより、ストッパの先端が挿入時に上に向くようにしたので、さらにリードに接触することを防ぎ、リード曲がりを起こすことはない。
【００１６】
この発明の請求項３に係るＩＣマガジン用ストッパによれば、ストッパの上下フィンの部分の厚みを、上部フィンの厚み＜下部フィンの厚み、に設定することにより、ストッパの先端が挿入時に上を向くようにしたので、さらにリードに接触することを防ぎ、リード曲がりを起こすことはない。
【００１７】
この発明の請求項４に係るＩＣマガジン用ストッパによれば、ストッパの上下フィンの根元の支点から先端までの距離の長さを、Ａ＞Ｂに設定することにより、ストッパの先端が挿入時に上を向くようにしたので、さらにリードに接触することを防ぎ、リード曲がりを起こすことはない。
【図面の簡単な説明】
【図１】  この発明の実施の形態１によるストッパをマガジン内に挿入した状態を示す側面断面図である。
【図２】  図１のうちのストッパのみの自由状態における側面断面図である。
【図３】  この発明の実施の形態２によるストッパの側面断面図である。
【図４】  この発明の実施の形態３によるストッパの側面断面図である。
【図５】  この発明の実施の形態４によるストッパの側面断面図である。
【図６】  従来のストッパをマガジン内に挿入した状態を示す側面断面図である。
【図７】  図６のうちのストッパのみの自由状態における側面断面図である。
【図８】  従来のマガジンとストッパを示す分解斜視図である。
【図９】  従来のストッパをマガジン内に挿入した状態を示す上面図である。
【符号の説明】
１  ＩＣマガジン、２  ＩＣ、３  リード、４  ストッパ、４ａ，４ｅ，４ｆ，４ｇ，４ｈ  フィン、４ｄ  先端面。
【図１】
0003989609.tif 000002
【図２】
0003989609.tif 000003
【図３】
0003989609.tif 000004
【図４】
0003989609.tif 000005
【図５】
0003989609.tif 000006
【図６】
0003989609.tif 000007
【図７】
0003989609.tif 000008
【図８】
0003989609.tif 000009
【図９】
0003989609.tif 000010